(57)【要約】【課題】手動で箱を容易に取り出すことができる穀物乾燥装置を提供する。【解決手段】穀物乾燥装置は、乾燥対象の穀物を収容するための複数の箱と、複数の箱のうちの一つの箱を選択的に保持して搬送する搬送部と、複数の箱をそれぞれ格納可能に区画された複数の格納室であって、複数の箱を出し入れするための複数の格納室開口を有する複数の格納室を備える乾燥機本体と、を備えている。箱の各々は、複数の格納部のうちの一つに格納されたときに外部に露出する露出面を備え、露出面は、人の指が入る程度の大きさおよび形状を有する箱開口を備えている。【選択図】図３
2020091051.tif 000002
【特許請求の範囲】
【請求項１】
穀物乾燥装置であって、
乾燥対象の穀物を収容するための複数の箱と、
前記複数の箱のうちの一つの箱を選択的に保持して搬送する搬送部と、
前記複数の箱をそれぞれ格納可能に区画された複数の格納室であって、前記複数の箱を出し入れするための複数の格納室開口を有する複数の格納室を備える乾燥機本体と
を備え、
前記箱の各々は、前記複数の格納室のうちの一つに格納されたときに外部に露出する露出面を備え、
前記露出面は、人の指が入る程度の大きさおよび形状を有する箱開口を備える
穀物乾燥装置。
【請求項２】
請求項１に記載の穀物乾燥装置であって、
前記箱開口は、前記搬送部による前記箱の保持、または、前記箱に対する前記搬送部の位置決めに使用される
穀物乾燥装置。
【請求項３】
請求項２に記載の穀物乾燥装置であって、
前記搬送部は、前記一つの箱を選択的に保持するチャック部を有するチャック装置を備え、
前記チャック装置は、前記箱開口を形成する前記露出面の内側縁部に前記チャック部が係合することによって前記箱を保持するように構成される
穀物乾燥装置。
【請求項４】
請求項３に記載の穀物乾燥装置であって、
前記チャック部は、二つのチャック部を備え、
前記チャック装置は、前記二つのチャック部が、互いから離れる方向に移動して、前記内側縁部を外向きに互いに反対方向に押圧することによって前記箱を保持するように構成される
穀物乾燥装置。
【請求項５】
請求項４に記載の穀物乾燥装置であって、
前記二つのチャック部の各々には、前記二つのチャック部が互いから離れる前記方向に延在する押さえ板が取り付けられ、
前記チャック装置は、前記押さえ板の各々が前記露出面に当接した状態で前記二つのチャック部が前記内側縁部を外向きに互いに反対方向に押圧することによって前記箱を保持するように構成される
穀物乾燥装置。
【請求項６】
請求項４または請求項５に記載の穀物乾燥装置であって、
前記箱開口は略矩形形状を有する
穀物乾燥装置。
【請求項７】
請求項６に記載の穀物乾燥装置であって、
前記略矩形形状は、短辺と長辺とを有し、
前記二つのチャック部が互いから離れる前記方向は、前記短辺に平行な方向である
穀物乾燥装置。
【請求項８】
請求項１ないし請求項７のいずれか一項に記載の穀物乾燥装置であって、
前記箱は、前記穀物を収容するための収容室を備え、
前記収容室は、前記箱開口と前記収容室とが連通しないように隔壁によって前記箱開口から離隔されている
穀物乾燥装置。
【発明の詳細な説明】
【技術分野】
【０００１】
本発明は、穀物乾燥装置に関する。
【背景技術】
【０００２】
乾燥調製施設などの穀物処理施設では、搬入された穀物の一部がサンプル穀物として抽出され、自主検定装置に供給される。自主検定装置では、穀物の計量、脱ぷ、選別などが行われ、整粒および屑粒の計量データから歩留まりが計算される。サンプル穀物は、このような自主検定装置に供給される前に、サンプル穀物乾燥装置において、水分測定され、その水分測定結果に基づいて乾燥される。こうして乾燥された穀物が自主検定装置に供給される。
【０００３】
かかるサンプル穀物乾燥装置として、例えば、下記の特許文献１に記載の装置が知られている。この装置は、サンプル穀物を収容するための複数の箱と、これらの箱を格納する複数の格納空間と、これらの箱のうちの一つを選択的に保持するロボットと、を備えている。このロボットによって、格納空間に対して箱が出し入れされる。
【先行技術文献】
【特許文献】
【０００４】
【特許文献１】特開２００１−４１６５３号公報
【発明の概要】
【発明が解決しようとする課題】
【０００５】
上述の装置では、格納空間に箱が格納された状態でロボットが故障した場合に、格納空間に格納された箱を取り出すことが困難であった。このため、手動で箱を容易に取り出すことができる穀物乾燥装置が求められる。
【課題を解決するための手段】
【０００６】
本発明は、上述の課題の少なくとも一部を解決するためになされたものであり、例えば、以下の形態として実現することが可能である。
【０００７】
本発明の第１の形態によれば、穀物乾燥装置が提供される。この穀物乾燥装置は、乾燥対象の穀物を収容するための複数の箱と、複数の箱のうちの一つの箱を選択的に保持して搬送する搬送部と、複数の箱をそれぞれ格納可能に区画された複数の格納室であって、複数の箱を出し入れするための複数の格納室開口を有する複数の格納室を備える乾燥機本体と、を備えている。箱の各々は、複数の格納部のうちの一つに格納されたときに外部に露出する露出面を備え、露出面は、人の指が入る程度の大きさおよび形状を有する箱開口を備えている。
【０００８】
かかる穀物乾燥装置によれば、格納室に箱が格納された状態で搬送部が故障したとしても、箱開口に指を突っ込んで箱を手動で引っ張り出すことによって、格納室から箱を容易に取り出すことができる。
【０００９】
本発明の第２の形態によれば、第１の形態において、箱開口は、搬送部による箱の保持、または、箱に対する搬送部の位置決めに使用される。かかる形態によれば、箱開口を、箱の保持または位置決めと、格納室からの箱の手動取り出しと、の両方に兼用することができる。換言すれば、箱の保持用または位置決め用の開口が箱に形成されている場合には、箱の手動取り出し用の開口を別途設ける必要がない。
【００１０】
本発明の第３の形態によれば、第２の形態において、搬送部は、一つの箱を選択的に保持するチャック部を有するチャック装置を備えている。チャック装置は、箱開口を形成する露出面の内側縁部にチャック部が係合することによって箱を保持するように構成される。かかる形態によれば、箱を適正に保持することができる。また、箱開口をチャック用の開口として使用可能である。
【００１１】
本発明の第４の形態によれば、第３の形態において、チャック部は、二つのチャック部を備えている。チャック装置は、二つのチャック部が、互いから離れる方向に移動して、内側縁部を外向きに互いに反対方向に押圧することによって箱を保持するように構成される。かかる形態によれば、箱を適正に保持することができる。
【００１２】
本発明の第５の形態によれば、第４の形態において、二つのチャック部の各々には、二つのチャック部が互いから離れる方向に延在する押さえ板が取り付けられる。チャック装置は、押さえ板の各々が露出面に当接した状態で二つのチャック部が内側縁部を外向きに互いに反対方向に押圧することによって箱を保持するように構成される。かかる形態によれば、押さえ板と露出面とが面接触した状態で、箱を保持することができる。このため、チャック部に対する箱の配置角度を適正に保つことができる。また、箱開口へのチャック部の進入深さを一定にすることができる。しかも、押さえ板は、チャック部とは別部品として形成されるので、チャック部よりも剛性を小さくすることができる。その結果、装置を軽量化するとともに、チャック部を移動させるための動力を低減することができる。
【００１３】
本発明の第６の形態によれば、第４または第５の形態において、箱開口は略矩形形状を有する。かかる形態によれば、チャック部と内側縁部との接触面は、互いに平行な二つの平面になる。したがって、チャック部の形状と、内側縁部の形状と、を容易に適合させ、チャック部が箱を安定的に保持することができる。
【００１４】
本発明の第７の形態によれば、第６の形態において、略矩形形状は、短辺と長辺とを有している。二つのチャック部が互いから離れる方向は、短辺に平行な方向である。かかる形態によれば、内側縁部のうちの、矩形形状の長辺のところで、チャック部と内側縁部との接触面を確保することができる。したがって、接触面の延長距離を大きく確保できる。その結果、チャック部が箱をより安定的に保持することができる。
【００１５】
本発明の第８の形態によれば、第１ないし第７のいずれかの形態において、箱は、穀物を収容するための収容室を備えている。収容室は、箱開口と収容室とが連通しないように隔壁によって箱開口から離隔されている。箱開口の形成位置や大きさに関係なく、穀物が収容室から箱開口を介して外部へ流出することがない。したがって、箱開口の位置や大きさについての設計自由度が向上する。
【００１６】
本発明は、穀物乾燥装置のほか、穀物乾燥装置用の、乾燥対象の穀物を収容するための箱や、当該箱を保持するためのチャック装置などの形態でも実現可能である。
【図面の簡単な説明】
【００１７】
【図１】本発明の一実施形態による穀物乾燥装置の概略正面図である。
【図２】格納室を示す概略斜視図である。
【図３】サンプル箱を示す概略斜視図である。
【図４】サンプル箱が格納室に格納された状態を示す概略平断面図である。
【図５】サンプル箱が格納室に格納された状態を示す概略側断面図である。
【図６】チャック装置を示す概略斜視図である。
【図７】チャック装置を示す概略正面図である。
【図８】サンプル箱を保持しているチャック装置を示す概略正面図である。
【図９】第２実施形態としてのサンプル箱を示す概略斜視図である。
【図１０】図９のサンプル箱を保持するチャック部を示す概略斜視図である。
【発明を実施するための形態】
【００１８】
図１は、本発明の一実施形態による穀物乾燥装置１０の概略正面図である。穀物乾燥装置１０は、乾燥調製施設などの穀物処理施設に設置される。穀物処理施設では、搬入された穀物のうちの一部がサンプル穀物（以下、単にサンプルと呼ぶ）として抽出される。サンプルは、穀物乾燥装置１０で水分測定され、その測定結果に基づいて乾燥された後、シュート１１０およびホッパ１２０を介して自主検定装置１００に供給される。穀物乾燥装置１０および自主検定装置１００の動作全般は、制御装置１３０によって制御される。
【００１９】
図１に示すように、穀物乾燥装置１０は、投入・排出部２０と乾燥機本体３０と搬送部５０と、を備えている。投入・排出部２０は、サンプルを収容するためのサンプル箱４０を挿入可能な挿入口２１，２２，２３，２４を備えている。投入・排出部２０の内部には、サンプルの水分測定を行うための水分測定装置（図示省略）が配置されている。
【００２０】
乾燥機本体３０は、図２から最もよく分かるように、サンプル箱４０を格納するための複数の格納室３１を備えている。複数の格納室３１は、複数のサンプル箱４０をそれぞれ格納可能に区画されている。格納室３１の各々には、サンプル箱４０を出し入れするための格納室開口３２が形成されている。図１では、格納室３１の各々にサンプル箱４０が格納された状態を概略的に示している。
【００２１】
搬送部５０は、サンプル箱４０を保持するためのチャック装置６０を備えている。チャック装置６０は、アクチュエータ（図示省略）によってガイドレール（図示省略）に沿って鉛直方向および水平方向に並進可能に構成される。また、チャック装置６０は、水平方向に延びる回転軸線を中心として回転可能に構成される。これにより、チャック装置６０は、保持しているサンプル箱４０内に収容されたサンプルをサンプル箱４０から排出することができる。
【００２２】
かかる穀物乾燥装置１０の基本動作について説明する。まず、搬送部５０は、格納室３１に収容されている空のサンプル箱４０をチャック装置６０によって保持し、当該サンプル箱４０を挿入口２１に挿入する。このとき、このサンプル箱４０には、ダクト２５を介してサンプルが供給される。次いで、搬送部５０は、サンプルが収容されたサンプル箱４０を挿入口２１から取り出して、挿入口２２に挿入する。そして、搬送部５０は、サンプル箱４０を投入・排出部２０の内部において回転させて、サンプル箱４０内に収容されたサンプルを排出する。排出されたサンプルは、投入・排出部２０内に設置された水分測定装置に供給される。水分測定装置では、投入されたサンプルの一部について水分が測定される。
【００２３】
次いで、搬送部５０は、空になったサンプル箱４０を挿入口２２から取り出して、挿入口２３に挿入する。このとき、サンプル箱４０には、水分測定装置から排出されるサンプルが供給される。次いで、搬送部５０は、サンプル箱４０を挿入口２３から取り出して、空いている格納室３１に収容する。
【００２４】
格納室３１に収容されたサンプル箱４０内のサンプルは、水分測定装置での測定結果に基づいて、適切な水分になるまで乾燥される。本実施形態では、穀物乾燥装置１０では、ヒータ（図示省略）によって加熱された空気が背面から格納室３１に供給されることによって、乾燥が行われる。複数の格納室３１の各々には、加熱空気を格納室３１内に導入するためのファン（図示省略）が設置されている。このため、格納室３１ごとに乾燥を行うことができる。なお、穀物乾燥装置１０は、上述の形態に限らず、任意の方式の乾燥装置であってもよい。
【００２５】
次いで、搬送部５０は、乾燥が完了したサンプルを収容しているサンプル箱４０を格納室３１から取り出して、挿入口２４に挿入する。そして、搬送部５０は、サンプル箱４０を投入・排出部２０の内部において回転させて、サンプル箱４０内に収容されたサンプルを排出する。排出されたサンプルは、シュート１１０およびホッパ１２０を介して、自主検定装置１００に供給される。
【００２６】
図３は、サンプル箱４０の概略斜視図である。図４はサンプル箱４０の概略平断面図であり、図５はサンプル箱４０の概略側断面図である。図４，５では、サンプル箱４０は格納室３１に格納されている状態を示している。図３〜５に示すように、サンプル箱４０は、格納室３１に収容されたときに外部に露出する露出面４１を備えている。サンプル箱４０は、さらに、サンプルを収容するための収容室４２を露出面４１の後方に備えている。図３に示されるように、収容室４２は、略矩形形状を有しており、その上方が全面的に開口している。
【００２７】
図３〜５に示されるように、露出面４１は、露出面４１と収容室４２とが重なる方向から見て、露出面４１の外縁が収容室４２の外縁よりも外側に張り出しており、フランジ状に形成されている。また、図４および図５に示されるように、露出面４１は、格納室開口３２よりも大きい寸法を有している。このため、格納室３１に収容室４２が完全に格納されたとき、格納室開口３２は露出面４１によって完全に塞がれる。
【００２８】
図３に示されるように、露出面４１は、その略中央に箱開口４４を備えている。箱開口４４は、露出面４１をその厚み方向に貫通している。本実施形態では、箱開口４４は、短辺４５と長辺４６とを有する略矩形形状に形成されている。箱開口４４は、その内側に直径２ｃｍの円が含まれ得る大きさおよび形状を有している。換言すれば、箱開口４４は、人間の指を挿入することができる大きさおよび形状を有している。この箱開口４４は、後述するように、チャック装置６０によってサンプル箱４０を保持するために使用される。
【００２９】
図４および図５に示されるように、収容室４２は、箱開口４４と収容室４２とが連通しないように、隔壁４３によって箱開口４４から隔離されている。このため、収容室４２に収容されたサンプルは、収容室４２から箱開口４４を介して外部へ流出されることがない。したがって、箱開口４４の形成位置や大きさについての設計自由度が向上する。例えば、箱開口４４が収容室４２と連通していれば、箱開口４４は、収容室４２に収容されたサンプルが箱開口４４から流出しないようにするために極力上方に設けられることが望ましいが、本実施形態によれば、そのような配慮は必要なくなる。
【００３０】
図６は、チャック装置６０の概略斜視図である。図７は、チャック装置６０の概略正面図である。チャック装置６０は、搬送部５０のうちの水平方向および鉛直方向に並進可能な部材に、ベース５１を介して取り付けられる。二つのチャック部６１ａ，６１ｂを備えている。チャック部６１ａ，６１ｂは、同一の形状および大きさを有しており、上下対称に配置されている。このチャック部６１ａ，６１ｂは、アクチュエータによって互いに離れる方向、および、互いに近づく方向に移動可能に構成されている。本実施形態では、この移動可能方向は、鉛直方向である。
【００３１】
図７に示されるように、チャック部６１ａ，６１ｂは、それぞれ、第１の部分６２ａ，６２ｂと、第２の部分６３ａ，６３ｂと、第３の部分６４ａ，６４ｂと、を備えている。第１の部分６２ａ，６２ｂは、鉛直方向に延在している。第２の部分６３ａ，６３ｂは、第１の部分６２ａ，６２ｂの内側端から第１の部分６２ａ，６２ｂと垂直に、すなわち、水平方向に延在している。第３の部分６４ａ，６４ｂは、第２の部分６３ａ，６３ｂの先端（第１の部分６２ａ，６２ｂと反対側の端部）から鉛直方向に延在している。第３の部分６４ａ，６４ｂは、第３の部分６４ａ，６４ｂから、第１の部分６２ａ，６２ｂが延在する方向と同じ方向に延在している。これにより、チャック部６１ａ，６１ｂには、溝部６５ａ，６５ｂが形成されている。
【００３２】
チャック装置６０は、さらに、チャック部６１ａ，６１ｂよりも鉛直方向外側に押さえ板６６ａ，６６ｂを備えている。押さえ板６６ａ，６６ｂは、鉛直方向に延在している。本実施形態では、押さえ板６６ａ，６６ｂは、第１の部分６２ａ，６２ｂと鉛直方向同一平面を形成する。この押さえ板６６ａ，６６ｂは、チャック部６１ａ，６１ｂとは別の部品として形成され、チャック部６１ａ，６１ｂにボルトによって取り付けられている。
【００３３】
かかるチャック装置６０によるサンプル箱４０の保持動作について説明する。まず、第２の部分６３ａ，６３ｂおよび第３の部分６４ａ，６４ｂが箱開口４４内に挿入される。このとき、押さえ板６６ａ，６６ｂは、露出面４１に面接触する。このため、チャック部６１ａ，６１ｂに対するサンプル箱４０の配置角度を適正に保つことができる。また、箱開口４４へのチャック部６１ａ，６１ｂの進入深さを一定にすることができる。押さえ板６６ａ，６６ｂは、チャック部６１ａ，６１ｂほど剛性が求められないので、上述のように、押さえ板６６ａ，６６ｂをチャック部６１ａ，６１ｂとは別体にすることで、チャック装置６０を軽量化でき、また、チャック装置６０の動力を低減することができる。
【００３４】
次いで、チャック部６１ａ，６１ｂが互いに離れる方向に移動される。つまり、図６に示されるように、チャック部６１ａは、矢印Ａ１の方向に（鉛直方向上方に向けて）移動し、チャック部６１ｂは、矢印Ａ２の方向に（鉛直方向下方に向けて）移動する。その結果、箱開口４４を形成する露出面４１の内側縁部４７（図３参照）が溝部６５ａ，６５ｂ内に収まった状態で、内側縁部４７が第２の部分６３ａ，６３ｂに当接する。チャック部６１ａ，６１ｂが互いに離れる方向にさらに移動しようとすると、チャック部６１ａ，６１ｂは、内側縁部４７を鉛直方向外向きに反対方向に押圧する。これによって、サンプル箱４０は、図８に示されるようにチャック装置６０に保持される。
【００３５】
本実施形態では、箱開口４４は略矩形形状を有しているので、第２の部分６３ａ，６３ｂと内側縁部４７との接触面は、互いに平行な二つの平面（水平方向に延在する平面）になる。このため、第２の部分６３ａ，６３ｂの形状と内側縁部４７の形状とを容易に適合させることができる。換言すれば、両者の形状を適合させるために精密な加工精度を必要としない。その結果、チャック装置６０は、サンプル箱４０を安定的に保持できる。
【００３６】
しかも、本実施形態では、チャック部６１ａ，６１ｂの移動方向は、鉛直方向であり、これは、短辺４５に平行な方向である。このため、第２の部分６３ａ，６３ｂは、内側縁部４７のうちの長辺４６のところで第２の部分６３ａ，６３ｂと内側縁部４７との接触面を確保できる。その結果、当該接触面の延長距離を大きく確保できるので、チャック装置６０は、サンプル箱４０をより安定的に保持することができる。
【００３７】
以上説明した穀物乾燥装置１０によれば、格納室３１にサンプル箱４０が格納された状態で搬送部５０（チャック装置６０を含む）が故障した場合であっても、箱開口４４に指を突っ込んでサンプル箱４０を手動で引っ張り出すことによって、格納室３１からサンプル箱４０を容易に取り出すことができる。しかも、箱開口４４は、チャック装置６０によるサンプル箱４０の保持のためにも使用される。このため、サンプル箱４０の取り出しのために開口を別途設ける必要がない。
【００３８】
図９は、第２実施形態としてのサンプル箱１４０を示す概略斜視図である。図１０は、サンプル箱１４０を保持するチャック部１６１ａ，１６１ｂを示す概略斜視図である。図９に示されるように、サンプル箱１４０は、第１実施形態の露出面４１に代えて、露出面１４１を備えている。露出面１４１は、箱開口１４４を備えている。箱開口１４４は、水平方向延在する辺１４６と、辺１４６に対して４５°の角度で互いに近づくように辺１４６から延在する辺１４７と、を備えている。図１０に示されるように、チャック部１６１ａ，１６１ｂは、箱開口１４４に挿入された状態で水平方向に互いから離れる方向に移動する。これにより、チャック部１６１ａ，１６１ｂは、辺１４７のところで箱開口１４４の内側縁部を押圧する。
【００３９】
このように、箱開口の形状は、人の指を挿入可能な任意の形状および大きさとすることができる。また、チャック装置は、箱開口の形状に応じて、露出面の内側縁部にチャック部が係合することによって箱を保持するように構成された公知の任意の形式とすることができる。また、箱開口は、箱を保持するために限らず、サンプル箱と搬送装置（より具体的には、箱保持装置）との位置決めに使用されてもよい。例えば、箱開口は、位置決め用の突起が挿入される穴であってもよい。もとより、チャック装置に代えて、サンプル箱を保持することができる任意の形式の箱保持装置が採用されてもよい。例えば、保持装置は、上記の特許文献１に記載されているような電磁石式であってもよい。また、箱開口は、搬送装置の故障時にサンプル箱を手動で取り出すためだけのために設けられていてもよい。
【００４０】
以上、本発明のいくつかの実施形態について説明してきたが、上記した発明の実施形態は、本発明の理解を容易にするためのものであり、本発明を限定するものではない。本発明は、その趣旨を逸脱することなく、変更、改良され得るとともに、本発明にはその均等物が含まれる。また、上述した課題の少なくとも一部を解決できる範囲、または、効果の少なくとも一部を奏する範囲において、特許請求の範囲および明細書に記載された各構成要素の組み合わせ、または、省略が可能である。
【符号の説明】
【００４１】
１０…穀物乾燥装置
２０…投入・排出部
２１，２２，２３，２４…挿入口
２５…ダクト
３０…乾燥機本体
３１…格納室
３２…格納室開口
４０，１４０…サンプル箱
４１，１４１…露出面
４２…収容室
４３…隔壁
４４，１４４…箱開口
４５…短辺
４６…長辺
４７…内側縁部
５０…搬送部
５１…ベース
６０…チャック装置
６１ａ，６１ｂ，１６１ａ，１６１ｂ…チャック部
６２ａ，６２ｂ…第１の部分
６３ａ，６３ｂ…第２の部分
６４ａ，６４ｂ…第３の部分
６５ａ…溝部
６６ａ…押さえ板
１００…自主検定装置
１１０…シュート
１２０…ホッパ
１３０…制御装置
１４６，１４７…辺
【図１】
2020091051.tif 000003
【図２】
2020091051.tif 000004
【図３】
2020091051.tif 000005
【図４】
2020091051.tif 000006
【図５】
2020091051.tif 000007
【図６】
2020091051.tif 000008
【図７】
2020091051.tif 000009
【図８】
2020091051.tif 000010
【図９】
2020091051.tif 000011
【図１０】
2020091051.tif 000012